(57)【特許請求の範囲】
【請求項１】
棒状の把持部と、
前記把持部の一端側に連なる棒状の塗布体保持部と、
前記塗布体保持部に保持された、目元用化粧料を付着させる塗布体とを有する化粧補助用具において、
前記把持部が少なくとも一部に偏平な部分を有し、
前記偏平な部分の長径および前記把持部の長手方向に平行な平面に対して前記塗布体保持部の長手方向が傾斜しており、
前記塗布体保持部が、前記長径と平行な方向に互いに離れた２つの側面を有し、前記把持部に連なる部分側から先端に向かって次第に断面積が小さくなるテーパ状に形成され、
前記２つの側面の少なくとも一方の上に前記塗布体が保持されていることを特徴とする化粧補助用具。
【請求項２】
棒状の把持部と、
前記把持部の一端側に連なる棒状の塗布体保持部と、
前記塗布体保持部に保持された、目元用化粧料を付着させる塗布体とを有する化粧補助用具において、
前記把持部が少なくとも一部に偏平な部分を有し、
前記偏平な部分の長径および前記把持部の長手方向に平行な平面に対して前記塗布体保持部の長手方向が傾斜しており、
前記塗布体保持部が、前記長径と平行な方向に互いに離れた２つの側面をそれぞれ平面とする板状の部分を有するものであり、
前記板状の部分が、少なくとも一部分において、前記２つの側面の間の長さが、前記把持部の長手方向に平行な平面に直交する方向の長さよりも短いものとされ、かつ該板状の部分が、前記把持部に連なる部分側から先端に向かって次第に断面積が小さくなるテーパ状に形成され、
前記２つの側面の少なくとも一方の上に前記塗布体が保持されていることを特徴とする化粧補助用具。
【請求項３】
前記塗布体保持部が、前記長径と平行な方向に関する該塗布体保持部の先端位置が変わる向きに弾性変形可能である請求項１または２記載の化粧補助用具。
【請求項４】
前記塗布体保持部と前記把持部とが、前記長径と平行な方向に関して、それぞれの中央位置が互いに一致した状態で連なっている請求項１から３いずれか１項記載の化粧補助用具。
【請求項５】
前記塗布体保持部と前記把持部とが、前記長径と平行な方向に関して、それぞれの中央位置が互いにずれた状態で連なっている請求項１から３いずれか１項記載の化粧補助用具。
【請求項６】
前記塗布体保持部と前記把持部とが、前記平面に写影したとき、各々の長手方向が互いに角度をなす状態で連なっている請求項１から５いずれか１項記載の化粧補助用具。
【請求項７】
前記偏平な部分の、前記把持部の長手方向に直交する断面の形状が楕円形である請求項１から６いずれか１項記載の化粧補助用具。
【請求項８】
前記偏平な部分の、前記把持部の長手方向に直交する断面の形状が長円形である請求項１から６いずれか１項記載の化粧補助用具。
【請求項９】
前記２つの側面の双方の上に前記塗布体が保持されている請求項１から８いずれか１項記載の化粧補助用具。
【請求項１０】
前記塗布体が、前記塗布体保持部を全周に亘って覆う状態にして、該塗布体保持部に被着されたものである請求項９記載の化粧補助用具。
【請求項１１】
前記塗布体が、前記塗布体保持部の先端も覆う袋状のスポンジ片からなるものである請求項１０記載の化粧補助用具。
【請求項１２】
前記２つの側面の一方の上に保持されている塗布体と、他方の上に保持されている塗布体とが、互いに異なる構成のものである請求項１から１１いずれか１項記載の化粧補助用具。
【請求項１３】
前記棒状の把持部の、前記塗布体保持部に連なる部分と反対側の端部に、化粧料付着部が設けられている請求項１から１２いずれか１項記載の化粧補助用具。
【請求項１４】
前記端部に設けられた化粧料付着部が、刷毛からなるものである請求項１３記載の化粧補助用具。
【請求項１５】
請求項１から１４いずれか１項の化粧補助用具を収容する収容部を備えた化粧容器。
【請求項１６】
請求項１から１４いずれか１項の化粧補助用具を用いて目元用化粧料を塗布する化粧方法であって、
前記塗布体に目元用化粧料を付着させ、
前記化粧補助用具を、前記把持部がほぼ水平となり、前記塗布体の先端が目尻の外側に位置し、かつ該塗布体の基端近傍部分が目尻に位置する状態にして、塗布体から皮膚に目元用化粧料を塗布し、
この塗布がなされた位置を塗布開始位置として、まぶた中央側に順次塗布を行うことを特徴とする化粧方法。
【発明の詳細な説明】
【技術分野】
【０００１】
本発明は化粧補助用具、特に詳細には、アイライナーやアイシャドー等の目元用の化粧料を塗布するための化粧補助用具に関するものである。
【０００２】
また本発明は、そのような化粧補助用具を持ち運ぶための化粧容器、およびそのような化粧補助用具を用いる化粧方法に関するものである。
【背景技術】
【０００３】
従来、例えば特許文献１に示されるように、棒状の把持部と、この把持部の一端側に連なる棒状の塗布体保持部と、この塗布体保持部に保持された、アイシャドーを付着させる塗布体とを有する化粧補助用具が公知となっている。
【０００４】
この種の従来の化粧補助用具においては、特許文献１にも示されているように、把持部に対して角度をなすように塗布体保持部を配設して、化粧時に作業者が無理な姿勢を取らなくて済むようにした提案がなされている。
【先行技術文献】
【特許文献】
【０００５】
【特許文献１】実用新案登録第３１７２２８６号公報
【発明の概要】
【発明が解決しようとする課題】
【０００６】
しかし、把持部に対して角度をなすように塗布体保持部を配設した従来の化粧補助用具は、アイライナーやアイシャドー等の目元用化粧料の塗布開始位置を教示するようなものではない。
【０００７】
本発明は上記の事情に鑑みてなされたものであり、アイライナーやアイシャドー等の目元用化粧料の塗布開始位置を容易に規定することができる化粧補助用具および化粧方法を提供することを目的とする。
【課題を解決するための手段】
【０００８】
本発明による化粧補助用具は、
棒状の把持部と、
この把持部の一端側に連なる棒状の塗布体保持部と、
この塗布体保持部に保持された、アイライナーやアイシャドー等の目元用化粧料を付着させる塗布体とを有する化粧補助用具において、
把持部が少なくとも一部に偏平な部分を有し、
上記偏平な部分の長径および把持部の長手方向に平行な平面に対して塗布体保持部の長手方向が傾斜しており、
塗布体保持部が、上記長径と平行な方向に互いに離れた２つの側面を有し、
これら２つの側面の少なくとも一方の上に塗布体が保持されていることを特徴とするものである。
【０００９】
ここで、上記の「偏平な部分」とは、把持部長手方向に直交する断面の形状が、差し渡し寸法が相対的に長い方向（この方向の差し渡し寸法を便宜上、長径という）と、差し渡し寸法が相対的に短い方向（この方向の差し渡し寸法を便宜上、短径という）とが有る形状になっている部分を指すものである。そのような断面の形状としては、後述するように楕円形、長円形、長方形等が挙げられるが、それらに限らず、外に向かって凸となった部分を含む形状としては例えば涙形や卵形、さらに外に向かって凸となった部分と凹となった部分を含む形状としては例えばピーナツ形等の形状であってもよい。
【００１０】
なお、本発明の化粧補助用具においては、塗布体保持部が、前記長径と平行な方向に関する該塗布体保持部の先端位置が変わる向きに弾性変形可能であることが望ましい。
【００１１】
また、本発明の化粧補助用具における塗布体保持部は、前記２つの側面をそれぞれ平面とする板状の部分を有するものであり、そしてこの板状の部分が、少なくとも一部分において、上記２つの側面の間の長さが、前記平面に直交する方向の長さよりも短いものであることが望ましい。
【００１２】
そして、そのような板状の塗布体保持部は、把持部に連なる部分側から先端に向かって次第に断面積が小さくなるテーパ状に形成されていることが望ましい。
【００１３】
また、本発明の化粧補助用具においては、塗布体保持部と把持部とが、前記長径と平行な方向に関して、それぞれの中央位置が互いに一致した状態で連なっていることが望ましい。
【００１４】
あるいは、塗布体保持部と把持部とは、前記長径と平行な方向に関して、それぞれの中央位置が互いにずれた状態で連なっていてもよい。
【００１５】
また、本発明の化粧補助用具においては、塗布体保持部と記把持部とが、上記の平面に写影したとき、各々の長手方向が互いに角度をなす状態で連なっていてもよい。
【００１６】
また、本発明の化粧補助用具においては、把持部の偏平な部分の、把持部長手方向に直交する断面の形状が楕円形であることが望ましい。
【００１７】
あるいは、把持部の偏平な部分の、把持部長手方向に直交する断面の形状は、長円形や長方形等であってもよい。
【００１８】
また、本発明の化粧補助用具においては、塗布体保持部の２つの側面の双方の上に塗布体が保持されていることが望ましい。
【００１９】
そのような構成が採用される場合、塗布体は、塗布体保持部を全周に亘って覆う状態にして、該塗布体保持部に被着されたものであることが望ましい。そのような塗布体としてさらに具体的には、塗布体保持部の先端も覆う袋状のスポンジ片からなるものがより好適に用いられる。
【００２０】
また、本発明の化粧補助用具において、塗布体保持部の２つの側面の一方の上に保持されている塗布体と、他方の上に保持されている塗布体とは、互いに異なる構成のものであることが望ましい。
【００２１】
上記のように互いに異なる構成の塗布体としては、特に限定されないが、例えばウレタンスポンジからなる塗布体と、ウレタンシートからなる塗布体が挙げられる。
【００２２】
また、本発明の化粧補助用具においては、棒状の把持部の、塗布体保持部に連なる部分と反対側の端部に、化粧料付着部が設けられていることが望ましい。
【００２３】
そのような化粧料付着部としては、刷毛からなるもの、筆状のもの、スクリューブラシ状のもの、さらには研磨加工されたゴムからなるもの等が好適に用いられる。
【００２４】
一方、本発明による化粧容器は、以上説明した本発明による化粧補助用具を収容する収容部を備えたことを特徴とするものである。
【００２５】
また、本発明による化粧方法は、
以上説明した本発明による化粧補助用具を用いて目元用化粧料を塗布する化粧方法であって、
前記塗布体に目元用化粧料を付着させ、
化粧補助用具を、把持部がほぼ水平となり、塗布体の先端が目尻の外側に位置し、かつ該塗布体の基端近傍部分が目尻に位置する状態にして、塗布体から皮膚に目元用化粧料を塗布し、
この塗布がなされた位置を塗布開始位置として、まぶた中央側に順次塗布を行うことを特徴とするものである。
【発明の効果】
【００２６】
本発明の化粧補助用具は、
把持部が少なくとも一部に偏平な部分を有し、
上記偏平な部分の長径および把持部の長手方向に平行な平面に対して塗布体保持部の長手方向が傾斜しており、
塗布体保持部が、上記長径と平行な方向に互いに離れた２つの側面を有し、
これら２つの側面の少なくとも一方の上に塗布体が保持されている構成を採用したことにより、アイライナーやアイシャドー等の目元用化粧料の塗布開始位置を容易に規定できるものとなる。その詳しい理由は、後に実施形態に即して詳しく説明する。
【００２７】
なお、本発明の化粧補助用具において特に、塗布体保持部が、前記長径と平行な方向に関する該塗布体保持部の先端位置が変わる向きに弾性変形可能である場合は、作業者が塗布体を瞼等に押し付ける力を調節しながら、アイライナーやアイシャドー等を上手に塗布可能となる。
【００２８】
また、本発明の化粧補助用具において特に、塗布体保持部の２つの側面の一方の上に保持されている塗布体と、他方の上に保持されている塗布体とが互いに異なる構成のものである場合は、化粧補助用具を多機能化することができる。
【図面の簡単な説明】
【００２９】
【図１】本発明の第１の実施形態による化粧補助用具を示す斜視図
【図２】図１の化粧補助用具を示す側面図
【図３】図１の化粧補助用具を示す平面図
【図４】図１の化粧補助用具を構成する塗布体を示す斜視図
【図５】図１の化粧補助用具の使用状態を説明する概略図
【図６】図１の化粧補助用具の機能を説明する概略図
【図７】本発明の第２の実施形態による化粧補助用具を示す平面図
【図８】本発明の第３の実施形態による化粧補助用具を示す平面図
【図９】本発明の第４の実施形態による化粧補助用具を示す斜視図
【図１０】本発明の第５の実施形態による化粧補助用具を示す平面図
【図１１】本発明の第６の実施形態による化粧補助用具を示す平面図
【図１２】本発明の第７の実施形態による化粧補助用具を示す平面図
【図１３】本発明の化粧容器の一実施形態を示す斜視図
【図１４】本発明の化粧方法を説明する概略図
【発明を実施するための形態】
【００３０】
以下、図面を参照して本発明の実施形態を詳細に説明する。
【００３１】
図１、２および３はそれぞれ、本発明の第１の実施形態による化粧補助用具１０の斜視形状、側面形状および平面形状を示すものである。本実施形態の化粧補助用具１０は、アイシャドーを塗布するためのものであって、棒状の把持部１１と、この把持部１１の一端側に連なる棒状の塗布体保持部１２と、この塗布体保持部１２に保持された塗布体１３とを有している。
【００３２】
把持部１１と塗布体保持部１２は、例えば合成樹脂から一体的に形成されている。把持部１１は、一例としてほぼ全長に亘って断面形状が楕円の偏平な形状とされたものである。つまり本実施形態では、把持部１１がほぼ全長に亘って偏平な部分を有するものとなっているが、この「偏平な部分」が意味するところは先に述べた通りであって、この部分の断面形状は楕円に限られるものではない。図１に示す把持部１１の長径Ｄは例えば６ｍｍ前後程度、短径ｄは例えば４ｍｍ前後程度とされている。また把持部１１の長さは、例えば１０〜２５ｍｍ程度とされている。
【００３３】
なお、上記断面形状はより正確には、把持部１１の長手方向Ｚに直交する断面の形状である。また把持部１１は、必ずしも全長に亘って偏平である必要はなく、通常把持される部分のみが偏平に形成されてもよい。
【００３４】
塗布体保持部１２は、上記把持部１１に連続して次第に厚さが小さくなる部分と、この部分に連なる板状部分とから構成されている。上記２つの部分を合わせた長さは例えば１５〜１７ｍｍ程度、また板状部分の長さは例えば１３〜１５ｍｍ程度とされている。この板状部分は、それぞれが平面とされた２つの側面１２ａおよび１２ｂを有している。そしてこの板状部分は、把持部１１に連なる部分側から先端に向かって次第に断面積が小さくなるテーパ状に形成されている。より詳しくは、この板状部分は、厚さが一定で、高さ（厚さ方向と直交する方向、つまりは後述する平面Ｐと直交する方向の寸法）が次第に短くなる形状とされている。板状部分の厚さは、例えば０．７ｍｍ程度とされている。そしてこの板状部分の厚さは、基端（上記の「次第に厚さが小さくなる部分」側の端部）から先端までのほぼ全長に亘って、上記高さよりも短いものとされている。具体的にこの高さは、上記基端において最も長くて、把持部１１の短径ｄ＝４ｍｍ前後と同程度、または、それよりもやや短いものとされている。
【００３５】
塗布体１３は、アイシャドーを付着させる例えばスポンジ片から形成されている。この塗布体１３は、図４に斜視形状を示すように全体が例えば砲弾状に形成され、平坦な端面から先端近傍まで内部を延びるスリット１３Ｓを有している。塗布体１３は、スリット１３Ｓに塗布体保持部１２が挿入されることによって、該塗布体保持部１２に保持される。塗布体１３が塗布体保持部１２に保持された状態では、塗布体１３が塗布体保持部１２を全周に亘って、かつ先端部も袋状に覆って、塗布体保持部１２の２つの側面１２ａおよび１２ｂの各々の上に塗布体１３が存在するようになる。ここで、実際にアイシャドーが付着するのは、塗布体１３の２つの側面となる。以下、これらの側面のうち、塗布体保持部１２の側面１２ａの上に位置する側面を塗布面１３ａ、塗布体保持部１２の側面１２ｂの上に位置する側面を塗布面１３ｂと称することとする。なお、塗布体保持部１２が前述した通りのテーパ状とされているので、該塗布体保持部１２を塗布体１３のスリット１３Ｓに挿入する作業は容易なものとなる。
【００３６】
次に、把持部１１と塗布体保持部１２との相対的な位置関係について、図２および３を参照して説明する。まず、前述したように偏平な形状とされた把持部１１の長径（図１で符号Ｄが付された矢印部分）および把持部１１の長手方向Ｚに平行な平面Ｐを考える。塗布体保持部１２は、その長手方向（図２および３中の矢印Ａ方向）が上記平面Ｐに対して傾斜する状態に配置されている。この傾斜の角度αは、５〜２５°、好ましくは、５〜１６°、より好ましくは例えば１４°前後とされる。ここで本実施形態において、より詳しくは、塗布体保持部１２の主に前記板状部分が上述のように傾斜している。
【００３７】
なお、塗布体保持部１２は、上記のように把持部１１に連続して次第に厚さが小さくなる部分と、この部分に連なる板状部分とから構成することは必ずしも必要ではなく、それよりも簡単な形状とされてもよい。例えば、把持部１１に連続させて厚さ一定の板状部分や太さ一定の棒状部分を形成し、この板状部分や棒状部分を途中から上記角度αで傾斜させて塗布体保持部とすることもできる。さらには、上記のような板状部分や棒状部分を、把持部１１に接続する部分から直ぐに傾斜させて塗布体保持部とすることもできる。
【００３８】
また本実施形態では図３に示されている通り、把持部１１と塗布体保持部１２とが、把持部１１の長径と平行な方向、つまり図３中の上下方向に関して、それぞれの中央位置が互いに一致した状態で連なっている。
【００３９】
次に図５を参照して、本実施形態の化粧補助用具１０の作用について説明する。この化粧補助用具１０を使用してアイシャドーまたはアイライナー等を塗る際、化粧をする使用者１５はまず、手Ｍの親指と人差し指とで把持部１１を把持し、塗布体１３の塗布面１３ａまたは１３ｂにアイシャドーまたはアイライナー等を付着させる。このとき、把持部１１が前述したように偏平な形状となっているので、使用者１５は直感的に、把持部１１を上記２つの指で短径方向に押さえて把持すべきであると理解できる。なお、こうして把持部１１を把持する際、安定性を保つために、上記２つの指に加えて、中指を添えて把持することもある。
【００４０】
使用者１５がそのように把持部１１を把持している場合、図５に示すように把持部１１がほぼ水平になるように自然な形で化粧補助用具１０を保持すれば、塗布体保持部１２が（つまりはそこに保持されている塗布体１３が）水平方向に対して傾斜する状態になる。この状態は、図２に示した通り、前記平面Ｐに対して塗布体保持部１２が角度αで傾斜していることから導かれるものである。また、塗布体保持部１２に保持されている塗布体１３の塗布面１３ａまたは１３ｂが使用者１５側を向くこととなる。
【００４１】
そこで使用者１５は、上記の自然な形で化粧補助用具１０を保持したうえで、図１４に概略的に示すように、塗布体１３の先端が左右いずれかの目尻の外側となり、かつ塗布体１３の付け根の近傍部分（塗布体１３の基端近傍部分）Ｇが目尻Ｊと一致するように、塗布体１３を目の位置に合わせて配置し、その配置状態から塗布体１３を皮膚（まぶた、あるいはそれに近い部分）に押し付けて、塗布面１３ａまたは１３ｂに付着させたアイシャドーまたはアイライナー等を塗布する。塗布体１３は、塗布開始位置を使用者１５に教示する役割を果たしていると言える。なお図１４では、目の部分と化粧補助用具１０とを、上下に分けて図示している。塗布開始時には、同図中で化粧補助用具１０が図示位置よりも上に有って、上記の部分Ｇと目尻Ｊの位置が一致する。
【００４２】
使用者１５は、塗布体１３が教示する塗布開始位置を起点に、図１４の矢印Ｋ方向に、まぶた中央、目頭へと順次塗布を行うことにより、目尻からまぶた中央または目頭にかけて、自然な濃淡（グラデーション）を得ることもできる。そのように塗布することで、使用者１５は、メーキャップアーティストが提案するメーキャップ等を、自身の顔で再現することが容易となる。
【００４３】
以上説明の通り、塗布体保持部１２の（つまりは塗布体１３の）把持部１１に対する角度αなる傾斜は、目元のメーキャップにおける目尻部分のアイシャドーまたはアイライナー等のはねあげ角度を導くものとなっている。そこで使用者１５が、このはねあげ角度を得るように塗布体１３を配置すれば、そこに配置された塗布体１３は自ずと塗布の開始位置を示すものとなる。こうして使用者１５は、傾斜している塗布体１３を基準にして、アイライナーやアイシャドー等の目元用化粧料の塗布開始位置を容易に規定できるようになる。
【００４４】
なお、本実施形態においては、合成樹脂からなる塗布体保持部１２が前述した通り薄い板状とされている。そこでこの塗布体保持部１２は、図６に１点鎖線Ｒ１、Ｒ２で中心を示す２つの位置の間で弾性変形可能である。この弾性変形の向きは、把持部１１の長径と平行な方向に関して、塗布体保持部１２の先端１２ｃの位置が変わる向きである。つまりこの弾性変形の向きは、塗布体１３を瞼等に押し付ける力が変わる向きであるので、使用者１５はこの押し付けの力を調節しながら、アイライナーやアイシャドー等を上手に塗布することができる。
【００４５】
なお、以上説明した実施形態においては、塗布体保持部１２の板状部分の側面１２ａおよび１２ｂが平面とされているが、塗布体保持部の塗布体を保持する部分は曲面であってもよい。また板状部分の側面１２ａおよび１２ｂは、平滑な面である以外に、溝、突起、凸凹等が形成された面であってもよい。
【００４６】
次に図７を参照して、本発明の第２の実施形態による化粧補助用具２０について説明する。なおこの図７において、先に説明した図１〜６中のものと同等の要素には同番号を付してあり、それらについての説明は、特に必要の無い限り省略する（以下、同様）。
【００４７】
図７に平面形状を示す化粧補助用具２０においては、把持部１１と塗布体保持部１２とが、把持部１１の長径と平行な方向、つまり図７中の上下方向に関して、それぞれの中央位置が互いにずれた状態で連なっている。なお同図においては、把持部１１の上記中央位置をＣ１１として示し、また塗布体保持部１２の上記中央位置をＣ１２として示してある。それら両中央位置のずれ量は、図中にＯＦとして示してある。
【００４８】
以上の構成を有する化粧補助用具２０は、例えば左手専用、あるいは右手専用として好適に利用され得るものとなる。
【００４９】
次に図８を参照して、本発明の第３の実施形態による化粧補助用具３０について説明する。本実施形態の化粧補助用具３０においては、把持部１１と塗布体保持部１２とが、図２および３に示した平面Ｐに写影したとき、各々の長手方向が互いに角度をなす状態で連なっている。なお図８では、把持部１１と塗布体保持部１２の各長手方向を、平面Ｐに写影した中央位置Ｃ１１とＣ１２が延びる方向で示している。また上記平面Ｐは、既述の通り、把持部１１の長径および把持部１１の長手方向Ｚ（上記中央位置Ｃ１１が延びる方向と同じである）に平行な平面のことである。
【００５０】
以上の構成を有する化粧補助用具３０も、例えば左手専用、あるいは右手専用として好適に利用され得るものとなる。
【００５１】
次に図９を参照して、本発明の第４の実施形態による化粧補助用具４０について説明する。本実施形態の化粧補助用具４０においては、把持部１１が、その長手方向に直交する断面の形状が長円形のものとされている。このような構成の化粧補助用具４０も、把持部１１が偏平なものとされていることにより、第１の実施形態の化粧補助用具１０が奏する効果と同様の効果が得られるものとなる。
【００５２】
なお、本発明の化粧補助用具において把持部の偏平部分の断面形状は、以上説明した楕円形や長円形に限られるものではなく、長方形や、さらには前述した涙形、卵形、ピーナツ形等とされてもよい。本発明においては、そのような長方形等においても、断面の最大の差し渡し寸法を便宜的に「長径」と称することとする。
【００５３】
次に図１０を参照して、本発明の第５の実施形態による化粧補助用具５０について説明する。本実施形態の化粧補助用具５０においては、前述したようにピーナツ形の断面形状を有する把持部１１が採用されている。
【００５４】
次に図１１を参照して、本発明の第６の実施形態による化粧補助用具７０について説明する。本実施形態の化粧補助用具７０においては、塗布体保持部１２の側面１２ａの上に位置する塗布体と、側面１２ｂの上に位置する塗布体とが互いに異なる素材から形成されている。本実施形態においてそれらの塗布体は、一方が前述したスポンジ、特にウレタンスポンジからなる塗布体１３とされ、他方がウレタンシートからなる塗布体７１とされている。
【００５５】
なお、以上のように塗布体保持部１２の側面１２ａの上に位置する塗布体と、側面１２ｂの上に位置する塗布体とを互いに異なるものとする場合、素材は同一のものとしたうえで、一方の塗布体にだけフロッキー植毛処理を施す等によって、２つの塗布体に相異なる効果を持たせることもできる。
【００５６】
次に図１２を参照して、本発明の第７の実施形態による化粧補助用具９０について説明する。本実施形態の化粧補助用具９０においては、既述の把持部１１よりもやや長い把持部９１が適用されている。この把持部９１は、塗布体保持部１２と連接する側と反対側の端部が先細りの形状とされ、その先端には刷毛９２が保持されている。この刷毛９２は、アイライナーやアイブロー等の塗布に利用できるものである。なお塗布体保持部１２には、図１の化粧補助用具１０におけるものと同様の塗布体１３が保持されている。
【００５７】
以上の構成を有する化粧補助用具９０は、塗布体１３を利用してアイシャドーを塗布することができ、また、刷毛９２を利用してアイライナーやアイブロー等を塗布することができる多機能なものとなる。
【００５８】
次に、本発明による化粧容器の実施形態について説明する。図１３は、本発明の一実施形態による化粧容器１１０の斜視形状を示すものである。本実施形態の化粧容器１１０は、本体１１１と、この本体１１１を開閉可能にして該本体１１１に連結された蓋体１１２とを有している。本体１１１および蓋体１１２は共に、一例として合成樹脂等を用いて、外形形状が例えば概略薄い直方体状に形成されている。蓋体１１２は本体１１１に対して、ヒンジ１１３を介して図中の矢印Ｂ方向に揺動自在に連結されており、図示のように本体１１１の上方を開く開状態と、本体１１１の上方を閉じる閉状態とに設定され得るものとなっている。
【００５９】
ここで、本実施形態の説明における「上」や「手前」といった各方向は、化粧容器１１０を使用する際に、一般的にそうであるように本体１１１をほぼ水平な向きに保持し、開状態にある蓋体１１２の鏡１１８を本体１１１の側から見るようにしたときの各方向を言うものとする。
【００６０】
本体１１１には、その上面１１１ａから内側に凹状となった化粧料収容部１１１ｂおよび１１１ｃが設けられている。そしてそれらの化粧料収容部１１１ｂおよび１１１ｃには、それぞれ化粧料を収容する容器である中皿１１４および１１５が納められている。中皿１１４、１１５も例えば合成樹脂等から形成されたものであり、それらは各々化粧料収容部１１１ｂおよび１１１ｃに対して接着剤等によって固定されるか、あるいは固定せずに適宜取り出し可能とされる。
【００６１】
中皿１１４、１１５には各々、化粧料１１６、１１７が収容されている。なお、化粧料１１６、１１７としてはファンデーション、口紅、アイシャドー、アイライナー等が挙げられるが、それらに限られるものではない。また、中皿１１４、１１５のいずれか、または双方を２つ以上の区画に分けて、各区画に互いに別の化粧料を収容させてもよい。
【００６２】
蓋体１１２の先端近傍には係合突起１１２ａが形成されており、本体１１１の手前側の端部近傍には係合部１１１ｄが設けられている。蓋体１１２によって本体１１１の上面１１１ａを閉じた際には、上記係合突起１１２ａが係合部１１１ｄに係合して、この閉状態が維持される。また、係合部１１１ｄを例えばヒンジ１１３の側（矢印Ｃ方向）に押し込むと、上記係合状態が解除される。この状態になると、蓋体１１２を揺動させて本体１１１の上面１１１ａを開放する開状態、つまり図１３に示す状態に設定することができる。
【００６３】
蓋体１１２の内面には、化粧の際に利用される鏡１１８が取り付けられている。この鏡１１８は蓋体１１２の形状に合わせて、一例として長方形に形成されている。さらに蓋体１１２には、保護シート１２０が固定されている。保護シート１２０は例えば薄い透明の合成樹脂から形成されて、全体として表表紙、裏表紙および背表紙からなる本の表紙状に形成されている。そして例えば、上記裏表紙に相当する部分が蓋体１１２に接着され、その上に鏡１１８が接着されている。また、上記背表紙に相当する部分が鏡１１８の側端面に沿って位置し、上記表表紙に相当する部分が鏡１１８の表面に沿って位置するように保護シート１２０が配置されている。
【００６４】
蓋体１１２が本体１１１の上方を閉じる閉状態に設定されたとき、保護シート１２０の上記表表紙に相当する部分が鏡１１８の表面を覆うので、鏡１１８が化粧料１１６や１１７によって汚れることが防止される。化粧に際して鏡１１８を使用するときには、例えば左手Ｌの親指Ｙによって保護シート１２０（詳しくは上記表表紙に相当する部分）を図示のように捲り、鏡１１８の表面を開放することができる。この親指Ｙを保護シート１２０から離せば、保護シート１２０は自身の弾性によって、鏡１１８の表面を覆う位置まで復帰する。
【００６５】
本体１１１の上面１１１ａには、概略四角形の凹部からなる化粧用具収容部１１１ｆが設けられている。この化粧用具収容部１１１ｆには、本発明による化粧補助用具が収容される。なお図１３では、一例として図１〜３に示した化粧補助用具１０が収容されている状態を示している。
【００６６】
以上述べた化粧容器１１０は、化粧料と共に、本発明による化粧補助用具を収容するようにしたものであるから、本発明による化粧方法を実施する上で便利なものとなる。
【符号の説明】
【００６７】
１０、２０、３０、４０、５０、７０、９０    化粧補助用具
１１、９１    把持部
１２    塗布体保持部
１２ａ、１２ｂ    塗布体保持部の側面
１３、７１    塗布体
１３ａ、１３ｂ    塗布体の塗布面
１１０    化粧容器
１１１ｆ  化粧用具収容部
【要約】      （修正有）【課題】アイシャドー等の目元用化粧料の塗布開始位置を容易に規定することができる化粧補助用具を提供する。【解決手段】棒状の把持部１１と、把持部１１の一端側に連なる棒状の塗布体保持部１２と、塗布体保持部１２に保持された塗布体１３とを有する化粧補助用具１０において、把持部１１が少なくとも一部に偏平な部分を有し、この偏平な部分の長径および把持部１１の長手方向Ｚに平行な平面Ｐに対して塗布体保持部１２の長手方向Ａが傾斜しており、塗布体保持部１２が、上記長径と平行な方向に互いに離れた２つの側面を有し、これら２つの側面の少なくとも一方１２ａの上に塗布体１３が保持された構成とする。【選択図】図２【図１】
0006045640.tif 000002
【図２】
0006045640.tif 000003
【図３】
0006045640.tif 000004
【図４】
0006045640.tif 000005
【図５】
0006045640.tif 000006
【図６】
0006045640.tif 000007
【図７】
0006045640.tif 000008
【図８】
0006045640.tif 000009
【図９】
0006045640.tif 000010
【図１０】
0006045640.tif 000011
【図１１】
0006045640.tif 000012
【図１２】
0006045640.tif 000013
【図１３】
0006045640.tif 000014
【図１４】
0006045640.tif 000015